(57)【要約】【課題】  空調衣服としての機能を十分に有しつつ、高視認性安全服の規格に沿い、高温多湿下で夜間作業など暗い現場で作業する作業者の安全性を高め、かつ作業効率の低下を防ぐことができる、高視認性空調安全服を得る。【解決手段】外部から空気を内部に取り込み着用者を冷却する冷却手段３を備えた上衣本体２の身頃部５に、上下に配置された高視認手段４となる複数の帯状再帰性反射材１１，１２を前記身頃部５外面を一周するように取り付けた高視認性空調安全服１であって、前記身頃部５の裾部９は、内側裾部９ａと外側裾部９ｂとからなり、下端側が開放された二重裾に形成され、前記内側裾部９ｂは下端側に着用者の腰部付近に密着させ空気流出を抑える絞り部１０が設けられ、前記外側裾部９ｂは下側に配置される前記帯状再帰性反射材１１が取り付けられていることを特徴とする高視認性空調安全服１。【選択図】  図１
2017186683.tif 000002
【特許請求の範囲】
【請求項１】
外部から空気を内部に取り込み着用者を冷却する冷却手段を備えた上衣本体の身頃部に、上下に配置された高視認手段となる複数の帯状再帰性反射材を前記身頃部外面を一周するように取り付けた高視認性空調安全服であって、
前記身頃部の裾部は、内側裾部と外側裾部とからなり、下端側が開放された二重裾に形成され、前記内側裾部は下端側に着用者の腰部付近に密着させ空気流出を抑える絞り部が設けられ、前記外側裾部は下側に配置される前記帯状再帰性反射材が取り付けられていることを特徴とする高視認性空調安全服。
【請求項２】
前記二重裾に形成された前記身頃部の前記裾部は、前記内側裾部を一体に備える前記身頃部の外面に、前記帯状再帰性反射材が取り付けられた前記外側裾部の上端側が固着された構成となっていることを特徴とする請求項１に記載の高視認性空調安全服。
【発明の詳細な説明】
【技術分野】
【０００１】
本発明は高視認性と空調性能を有する高視認性空調安全服に関する。
【背景技術】
【０００２】
夜間作業など暗い現場で作業する作業者の安全を確保する衣服として高視認手段を備えた衣服がある。また、高温多湿の環境下の作業において作業者を冷却し健康に配慮した冷却手段を備えた衣服がある。
高視認手段を備えた衣服として、従来、蛍光生地により形成された衣服の外面に再帰性反射材を取り付けた高視認性安全服が知られている。蛍光生地はわずかな光でも現場作業者を浮きだたせ、また再帰性反射材は車両のライトなどの光線を入射方向に反射するので、例えば、車両等の運転手からの現場作業者の被視認性を高めることができ、現場作業者が車両事故に巻き込まれるリスクを減らすことができる。
このような高視認性安全服については、国際規格（ＩＳＯ  ２０４７１）が制定されており、また我が国でも国際規格に対応したＪＩＳ規格（ＪＩＳ  Ｔ８１２７）が制定されている。
【０００３】
規格においては、高視認性安全服のデザインに関する最低限の要求事項が定められている。例えば、規格中に提示されている高視認性安全服の形状には、胴部だけを被う高視認性安全服、胴部及び腕部を被う高視認性安全服、それから胴部、腕部及び足部を被う高視認性安全服などがあり、それぞれに再帰性反射材の形状や取り付け位置などの最低限の要求事項が定められている。
【０００４】
また、冷却手段を備えた衣服として、従来、空調衣服または冷却衣服などと呼ばれる衣服が知られており、例えば、身体の所定部位を覆うと共に、身体又は下着との空間に、身体又は下着の表面に沿って空気を案内するための服地部と、前記服地部と身体又は下着との空間に空気を流通させるための１又は複数のファンと、ファンに電力を供給する電源手段とを設けた空調衣服がある（例えば特許文献１参照。）。
【０００５】
特許文献１に記載の空調衣服はファンを利用して外部から衣服内に空気を取り込み、空調衣服と着用者との間に形成される空間に空気の流れを作り、着用者を冷却する。
着用者の冷却には、取り込んだ空気が空調衣服と着用者との間に形成される空間のできるだけ広い範囲に流れることが望ましく、特許文献１に記載の空調衣服では、服地部の下部を絞り、服地部の下部からの空気の抜け出しを抑え、空気を服地部の襟部や袖部の開口部から外部に排出するように構成されている。
【先行技術文献】
【特許文献】
【０００６】
【特許文献１】特開２００６−１３２０４０号公報
【発明の概要】
【発明が解決しようとする課題】
【０００７】
夜間の工事現場や、夜間の高速道路での事故現場などの暗く光りがとぼしい作業現場が、高温多湿である場合がある。このような場合、高視認性と空調性能を有する衣服があれば、現場作業者は安全性を高めつつ、効率的な作業が可能となる。
そこで、発明者は高視認性安全服の規格を満たしつつ、空調性能を備える衣服を得ることを企図し、試験、研究を重ね、特許文献１に記載されているような、服地部の下部を絞り、服地部の下部からの空気の抜け出しを抑え、空気を服地部の襟部や袖部の開口部から外部に排出するように構成されている空調衣服に高視認手段を備えることに着想した。
このような空調衣服に備える高視認手段はＪＩＳ規格（ＪＩＳ  Ｔ８１２７）に沿ったものであることが望ましい。
例えば、ＪＩＳ規格（ＪＩＳ  Ｔ８１２７）では、「水平に対して傾斜角が±２０°の範囲内で胴部を一周する帯状の再帰性反射材を上下に１本以上もち、肩越しに表面から背面へかかる帯状の再帰性反射材が胴部の再帰性反射材とつながっていなければならない」、又は、「２本以上の帯状の再帰性反射材が、水平に対して±２０°の範囲内で胴部を一周しなければならない」とされている。
【０００８】
ここで、空調衣服にあっては、多くの場合、衣服の後身頃部に左右に間隔を空けて冷却手段となる外部から衣服内に空気を取り込むファンが取り付けられている。そのため、肩越しに表面から背面へかかる帯状の再帰性反射材を設けることは現実的でない。そこで、規格に従って帯状の再帰性反射材を空調衣服に取り付けるには、ファンの取付位置をよけて２本以上の帯状の再帰性反射材を胴部を一周するように取り付ける必要がある。
【０００９】
また、ＪＩＳ規格（ＪＩＳ  Ｔ８１２７）では、上下に配置された２本以上の再帰性反射材は互いに間隔を５０ｍｍ以上離して取り付けなければならず、裾からは５０ｍｍ以上離して取り付けられなければならない。そのため、再帰性反射材とファンの取付位置の関係は、裾から少なくとも５０ｍｍ離して再帰性反射材を取り付け、その上方にファンを左右に間隔を空けて取り付け、そしてファンの上方に１または２以上の再帰性反射材を取り付けることが望ましい。
【００１０】
しかしながら、特許文献１に記載されている空調衣服に示されるように、服地部の下部からの空気の抜け出しを抑えるために服地部の下部が絞られていると、ファンにより外部から衣服内に空気を取り込んだとき、衣服は取り込んだ空気により膨らむ。その結果、服地部の下部である裾部分は変形し、ファンの下方に取り付けられた再帰性反射材の形状も歪みかつ面が下方を向いて傾斜することになる。そのため、下方に取り付けた再帰性反射材はその性能を発揮できず、高視認性安全衣服としての機能を果たせないといった問題が生じることになる。
本発明者は、さらに試験、研究を重ね、衣服の裾を二重裾部にすることを見出し、本発明を成すに至った。
【００１１】
本発明の目的は、空調衣服としての機能を十分に有しつつ、高視認性安全服の規格に沿い、高温多湿下で夜間作業など暗い現場で作業する作業者の安全性を高め、かつ作業効率の低下を防ぐことができる、高視認性空調安全服を提供することにある。
【課題を解決するための手段】
【００１２】
上記の目的を達成するために、請求項１に記載の発明は、外部から空気を内部に取り込み着用者を冷却する冷却手段を備えた上衣本体の身頃部に、上下に配置された高視認手段となる複数の帯状再帰性反射材を前記身頃部外面を一周するように取り付けた高視認性空調安全服であって、前記身頃部の裾部は、内側裾部と外側裾部とからなり、下端側が開放された二重裾に形成され、前記内側裾部は下端側に着用者の腰部付近に密着させ空気流出を抑える絞り部が設けられ、前記外側裾部は下側に配置される前記帯状再帰性反射材が取り付けられていることを特徴とする。
【００１３】
請求項１に記載の発明によれば、冷却手段により外部から上衣本体の内部に取り込んだ空気は、二重裾に形成された前記身頃部の裾部のうちの前記内側裾部の下端側に設けられている絞り部が着用者の腰部付近に密着することにより前記裾部からの空気流出が抑えられ、取り込んだ空気が上衣本体と着用者との間の広い範囲に流れることにより冷却による十分な空調性能を確保することができ、そして、上衣本体の内部に取り込んだ空気による上衣本体の膨らみにより前記内側裾部は変形するが、前記外側裾部は前記内側裾部の変形の影響は受けず変形しないことから、前記外側裾部に取り付けられている前記帯状再帰性反射材の形状や面の方向を維持することができ、十分な高視認性を確保することができる。
【００１４】
請求項２に記載の発明は、請求項１に記載の、前記二重裾に形成された前記身頃部の前記裾部は、前記内側裾部を一体に備える前記身頃部の外面に、前記帯状再帰性反射材が取り付けられた前記外側裾部の上端側が固着された構成となっていることを特徴とする。
【００１５】
請求項２に記載の発明によれば、請求項１に記載の、前記二重裾に形成された前記身頃部の前記裾部は、前記内側裾部を一体に備える前記身頃部の外面に、前記帯状再帰性反射材が取り付けられた前記外側裾部の上端側が固着された構成となっているので、前記裾部の成形が容易であり、高視認性空調安全服の製造を容易に行うことができる。
【発明の効果】
【００１６】
本発明に係る高視認性空調安全服によれば、空調衣服としての機能を十分に有しつつ、高視認性安全服の規格に沿い、高温多湿下での夜間作業など暗い現場で作業する作業者の安全性を高め、かつ作業効率の低下を防ぐことができる。
【図面の簡単な説明】
【００１７】
【図１】本発明に係る高視認性空調安全服の実施の形態の一例を示す正面図である。
【図２】図１の背面図である。
【図３】図１の高視認性空調安全服の裾部を示す拡大断面説明図である。
【図４】図１の高視認性空調安全服の成形工程の一部を示す説明図である。
【図５】図１の高視認性空調安全服の成形工程の一部を示す説明図である。
【図６】図１の高視認性空調安全服の成形工程の一部を示す説明図である。
【発明を実施するための形態】
【００１８】
以下、本発明に係る高視認性空調安全服の実施の形態の一例を図面により詳細に説明する。
図１は本例の高視認性空調安全服の正面図、図２は図１の背面図、図３は図１の高視認性空調安全服の裾部を示す拡大断面説明図、図４、図５、図６は図１の高視認性空調安全服の成形工程の一部を示す説明図である。
【００１９】
本例の高視認性空調安全服１は、上衣本体２に、外部から空気を内部に取り込み着用者を冷却する冷却手段３と、着用者の視認性を高める高視認手段４とを備えている。
上衣本体２は、イエロー、オレンジレッド、レッド等の蛍光色の、色落ちし難い堅牢性を有する生地を用いて形成されており、着用者の胴部を被う身頃部５と、腕部を肩口から手首まで被う袖部６とで構成され、身頃部５の上端には襟部７が設けられている。
【００２０】
上衣本体２の身頃部５の後身頃部５ａには、冷却手段３となるファン８が左右に間隔を空けて取り付けられている。冷却手段３となるファン８は公知であり特に限定されるものではなく、詳細な図示及び説明は省略する。
【００２１】
また、上衣本体２の身頃部５におけるファン８の取り付け位置の下側に構成される裾部９は、内側裾部９ａと外側裾部９ｂとからなり、下端側が開放された二重裾に形成されている。
内側裾部９ａは、下端側に着用者の腰部付近に密着させ空気流出を抑える絞り部１０が設けられている。本例では、絞り部１０は、内側裾部９ａの下端縁に長手方向に伸縮する弾性帯材を装着しているが、これに限られず、着用者の腰部付近に内側裾部９ａの下端縁を密着できれば良い。
外側裾部９ｂには、身頃部５の外面、即ち外側裾部９ｂの外面を一周するように高視認手段４となる帯状再帰性反射材１１が取り付けられている。外側裾部９ｂは、本例では、内側裾部９ａよりも下端位置が長く形成されている。
【００２２】
上衣本体２の身頃部５の二重裾に形成される裾部９を構成する内側裾部９ａと外側裾部９ｂは、本例では、図３に示すように、内側裾部９ａは上衣本体２の身頃部５と一体に構成され、身頃部５の下端部が内側裾部９ａとなっており、外側裾部９ｂは身頃部５と別体に構成されている。そして、帯状再帰性反射材１１を取り付けた外側裾部９ｂを上衣本体２の身頃部５の外面側に、外側裾部９ｂの上端縁を縫着することにより、内側裾部９ａと外側裾部９ｂで下端側が開放された二重裾の裾部９を構成している。
【００２３】
内側裾部９ａと外側裾部９ｂにより二重裾に形成される裾部９の構成は、上記の構成に限られるものではない。図示しないが、外側裾部９ｂを上衣本体２の身頃部５と一体に構成し、身頃部５の下端部を外側裾部９ｂとし、内側裾部９ａは身頃部５と別体に構成して、上衣本体２の身頃部５の内面側に、内側裾部９ａの上端縁を縫着することにより、内側裾部９ａと外側裾部９ｂで下端側が開放された二重裾の裾部９を構成してもよく、また、上衣本体２とは別個に、予め内側裾部９ａと外側裾部９ｂにより二重裾に形成した裾部９を用意し、上衣本体２の身頃部５の下端に固着しても良い。
【００２４】
また、上衣本体２は前開き構造となっており、身頃部５の前身頃部５ｂの開き辺部１４ａ，１４ｂには、開き辺部１４ａ，１４ｂの上端から内側裾部９ａの下端まで渡して前身頃部５ｂを開閉するスライドファスナー１５ａ，１５ｂが取り付けられている（図４参照）。
また、本例では、身頃部５の前身頃部５ｂの一方の開き辺部１４ａの外面に、上端から外側裾部９ｂの下端まで渡して前立て１６が取り付けられている（図６参照）。
前立て１６には、外側裾部９ｂに取り付けた帯状再帰性反射材１１と、身頃部５におけるファン８の取り付け位置の上側に取り付けた帯状再帰性反射材１３と合わせた位置に再帰性反射材１７が取り付けられている。
【００２５】
前立て１６の上端と下端及びそれぞれ対応する前身頃部５ｂの他方の開き辺部１４ｂの位置には、それぞれドット釦１８が取り付けられている。また、図示しないが、前立て１６の内面と他方の開き辺部１４ｂの外面側に面ファスナーが取り付けられ、スライドファスナー１５ａ，１５ｂで前身頃部５ｂの開き辺部１４ａ，１４ｂを閉じた後、閉じられた前身頃部５ｂの開き辺部１４ａ，１４ｂを前立て１６で覆えるようになっている。
【００２６】
上記のように構成される本例の高視認性空調安全服１を成形する工程の一例を、図４、図５、図６により説明する。
【００２７】
先ず、上衣本体２の身頃部５におけるファン８の取り付け位置の上側に、身頃部５の外面を一周するように高視認手段４となる帯状再帰性反射材１２を取り付け、両袖部６に高視認手段４となる帯状再帰性反射材１３を取り付け、身頃部５の前身頃部５ｂの開き辺部１４ａ，１４ｂにスライドファスナー１５ａ，１５ｂを取り付け、身頃部５の下端縁に長手方向に伸縮する弾性帯材を装着して身頃部５の下端部に絞り部１０を設ける（図４参照。）。
【００２８】
次に、外面上方に帯状再帰性反射材１１を取り付けた外側裾部９ｂを上衣本体２とは別に用意し、外側裾部９ｂを上衣本体２の身頃部５の外面側でファン８の取り付け位置の下側に、外側裾部９ｂの上端縁を縫着して固定し、外側裾部９ｂを縫着した身頃部５の下方を内側裾部９ａとする下端側を開放した二重裾の裾部９を形成する（図５参照。）。
【００２９】
次に、外側裾部９ｂに取り付けた帯状再帰性反射材１１と、身頃部５におけるファン８の取り付け位置の上側に取り付けた帯状再帰性反射材１２と合わせた位置に再帰性反射材１７を取り付けた前立て１６を用意し、前立て１６を身頃部５の前身頃部５ｂの一方の開き辺部１４ａの外面に、上端から外側裾部９ｂの下端まで渡して前立て１６を取り付ける（図６参照。）。
このようして、本例の高視認性空調安全服１が成形される。
【００３０】
なお、本例では、上衣本体２は、着用者の胴部を被う身頃部５と、腕部を肩口から手首まで被う袖部６とで構成されているが、これに限られず、身頃部のみのベスト型や、袖部が肩口から二の腕まで被う半袖型でもよい。
【００３１】
このように構成された本例の高視認性空調安全服１によれば、上衣本体２はイエロー、オレンジレッド、レッドの蛍光色の生地により形成されているので、光に乏しい暗闇でもわずかな光に反応して、着用者を浮きだたせることができる。また、上衣本体２には冷却手段３としてファン８が取り付けられており、外部から空気を上衣本体２内に取り込むので、高温多湿の環境下にある現場作業者を冷却することができる。また、上衣本体２には帯状再帰性反射材１１，１２，１３が取り付けられているので、車両のライトなどの光線を入射方向に反射し、運転手からの着用者の被視認性を高めることができる。
【００３２】
また、上衣本体２の身頃部５の裾部９は、内側裾部９ａと外側裾部９ｂとからなり、下端側が開放された二重裾に形成され、内側裾部９ａは下端側に着用者の腰部付近に密着させ空気流出を抑える絞り部１０が設けられ、外側裾部９ｂは下側に配置される帯状再帰性反射材１１が取り付けられているので、冷却手段３となるファン８により外部から上衣本体２の内部に取り込んだ空気は、内側裾部９ａの下端側に設けられている絞り部１０が着用者の腰部付近に密着することにより裾部９からの空気流出が抑えられ、取り込んだ空気が上衣本体２と着用者との間の広い範囲に流れることにより冷却による十分な空調性能を確保することができる。
【００３３】
そして、上衣本体２の内部に取り込んだ空気による上衣本体２の膨らみにより内側裾部９ａは変形するが、外側裾部９ｂは内側裾部９ａの変形の影響は受けず変形しないことから、外側裾部９ｂに取り付けられている帯状再帰性反射材１１の形状や面の方向を維持することができ、十分な高視認性を確保することができる。
【００３４】
また、本例では、二重裾に形成された身頃部５の裾部９は、内側裾部９ａを一体に備える身頃部５の外面に、帯状再帰性反射材１１が取り付けられた外側裾部９ｂの上端側が固着された構成となっているので、裾部９の成形が容易であり、高視認性空調安全服の製造を容易に行うことができる。
【符号の説明】
【００３５】
１  高視認性空調安全服
２  上衣本体
３  冷却手段
４  高視認手段
５  身頃部
５ａ  後身頃部
５ｂ  前身頃部
６  袖部
７  襟部
８  ファン
９  裾部
９ａ  内側裾部
９ｂ  外側裾部
１０  絞り部
１１、１２、１３  帯状再帰性反射材
１４ａ、１４ｂ  開き辺部
１５ａ、１５ｂ  スライドファスナー
１６  前立て
１７  再帰性反射材
１８  ドット釦
【図１】
2017186683.tif 000003
【図２】
2017186683.tif 000004
【図３】
2017186683.tif 000005
【図４】
2017186683.tif 000006
【図５】
2017186683.tif 000007
【図６】
2017186683.tif 000008